(57)【要約】【課題】簡単な操作で、画像劣化のない高画質のコピー出力を得ることができる画像処理装置等を提供する。【解決手段】画像を入力する画像入力手段と、前記画像入力手段で入力された入力画像を含む出力用データの出力処理を行う出力手段とを有し、電子化された文書データを管理する文書管理装置とネットワークを介して接続された画像処理装置であって、前記画像入力手段で入力された入力画像と一致する文書データが前記文書管理装置内に存在するか否かを検索する検索手段と、前記検索手段によって前記入力画像と一致する文書データが検索されたときに、該文書データに基づいて生成された出力用データを前記出力手段から出力するように制御する制御手段とを備えたことを特徴とする。【選択図】　　　　図４
2004118296.tif 000002
【特許請求の範囲】
【請求項１】
画像を入力する画像入力手段と、前記画像入力手段で入力された入力画像を含む出力用データの出力処理を行う出力手段とを有し、電子化された文書データを管理する文書管理装置とネットワークを介して接続された画像処理装置であって、
前記画像入力手段で入力された入力画像と一致する文書データが前記文書管理装置内に存在するか否かを検索する検索手段と、
前記検索手段によって前記入力画像と一致する文書データが検索されたときに、該文書データに基づいて生成された出力用データを前記出力手段から出力するように制御する制御手段とを備えたことを特徴とする画像処理装置。
【請求項２】
通常出力モードと高画質出力モードの何れか一方を選択するモード選択手段を備え、前記高画質出力モードの選択時に前記検索手段を作動し、前記通常出力モードの選択時には前記画像入力手段で入力された入力画像を前記出力手段から出力することを特徴とする請求項１記載の画像処理装置。
【請求項３】
前記画像入力手段による画像入力時に設定した画像出力用設定情報を、前記文書データに基づいて生成された出力用データを前記出力手段より出力するときにも適用することを特徴とする請求項１または２記載の画像処理装置。
【請求項４】
前記制御手段は、前記検索手段によって入力画像に一致する文書データが複数検索されたとき、その中から当該入力画像に最も近似した文書データを選択し、該文書データに基づいて生成された出力用データを前記出力手段から出力するように制御することを特徴とする請求項１乃至３記載の画像処理装置。
【請求項５】
前記検索手段は、前記入力画像に対して文字認識処理を施して文字認識データを生成し、この文字認識データを用いて、当該入力画像と一致する文書データが前記文書管理装置内に存在するか否かを検索することを特徴とする請求項１乃至４記載の画像処理装置。
【請求項６】
前記検索手段は、前記文書管理装置内の電子化された文書データを一意に特定可能な透かし情報を使って前記文書データの検索処理を行うことを特徴とする請求項１乃至５記載の画像処理装置。
【請求項７】
前記検索手段によって、入力画像に一致する文書データが前記文書管理装置内で検索されたときに、前記出力手段を用いて、該文書データを使用した出力処理を行うか、あるいは入力画像を使用した出力処理を行うかの選択を可能にする選択手段を備えたことを特徴とする請求項１乃至６記載の画像処理装置。
【請求項８】
前記検索手段によって、入力画像に一致する文書データが前記文書管理装置内で検索されたときに、該文書データの内容を表示する表示手段を備えたことを特徴とする請求項１乃至７記載の画像処理装置。
【請求項９】
画像を入力する画像入力手段、及び前記画像入力手段で入力された入力画像を含む出力用データの出力処理を行う出力手段を有する画像処理装置と、前記画像処理装置とネットワークを介して接続され、電子化された文書データを管理する文書管理装置とを備えた文書管理システムであって、
前記画像入力手段で入力された入力画像と一致する文書データが前記文書管理装置内に存在するか否かを検索する検索手段と、
前記検索手段によって前記入力画像と一致する文書データが検索されたときに、該文書データに基づいて出力用データを生成し、その出力用データを前記出力手段から出力するように制御する制御手段とを備えたことを特徴とする文書管理システム。
【請求項１０】
画像を入力する画像入力手段と、少なくとも前記画像入力手段で入力された入力画像を含む出力用データの出力処理を行う出力手段とを有し、電子化された文書データを管理する文書管理装置とネットワークを介して接続された画像処理装置の制御方法であって、
前記画像入力手段で入力された入力画像と一致する文書データが前記文書管理装置内に存在するか否かを検索する検索行程と、
前記検索行程によって前記入力画像と一致する文書データが検索されたときに、該文書データに基づいて生成された出力用データを前記出力手段から出力する行程とを有することを特徴とする画像処理装置の制御方法。
【請求項１１】
画像を入力する画像入力手段と、前記画像入力手段で入力された入力画像を含む出力用データの出力処理を行う出力手段とを有し、電子化された文書データを管理する文書管理装置とネットワークを介して接続された画像処理装置の制御方法を実行するための、コンピュータで読み取り可能な制御プログラムであって、
前記画像入力手段で入力された入力画像と一致する文書データが前記文書管理装置内に存在するか否かを検索する検索ステップと、
前記検索ステップによって前記入力画像と一致する文書データが検索されたときに、該文書データに基づいて生成された出力用データを前記出力手段から出力するステップとを有することを特徴とする制御プログラム。
【発明の詳細な説明】
【０００１】
【発明の属する技術分野】
本発明は、文書管理サーバとネットワーク接続されたデジタル複合機などの画像処理装置等に関する。
【０００２】
【従来の技術】
従来、デジタル複合機においてコピー機能は、リーダ部で画像を読み取り、読み取った画像をプリンタ部で印刷出力することによって行われていた。
【０００３】
【発明が解決しようとする課題】
しかしながら、上記従来のデジタル複合機においてコピーを行うと、原理上原稿画像と出力画像を完全に一致させることは不可能であり、程度の差はあっても画質の劣化は避けられないのが現状であった。
【０００４】
画質の劣化を避けるための手法として、コピーを実行する原稿文書と同じ電子文書データが存在する場合には、デジタル複合機のプリンタ機能を使ってホストコンピュータ等から印刷を実行しプリンタ出力を行うことで、画質の劣化のない出力物が得られるが、デジタル複合機のみの操作でコピー機能を使うように手軽に出力することはできなかった。
【０００５】
本発明は上記従来の問題点に鑑み、簡単な操作で、画像劣化のない高画質のコピー出力を得ることができる画像処理装置等を提供することを目的とする。
【０００６】
【課題を解決するための手段】
上記目的を達成するために、本発明の画像処理装置では、画像を入力する画像入力手段と、前記画像入力手段で入力された入力画像を含む出力用データの出力処理を行う出力手段とを有し、電子化された文書データを管理する文書管理装置とネットワークを介して接続された画像処理装置であって、前記画像入力手段で入力された入力画像と一致する文書データが前記文書管理装置内に存在するか否かを検索する検索手段と、前記検索手段によって前記入力画像と一致する文書データが検索されたときに、該文書データに基づいて生成された出力用データを前記出力手段から出力するように制御する制御手段とを備えたことを特徴とする。
【０００７】
本発明の文書管理システムでは、画像を入力する画像入力手段、及び前記画像入力手段で入力された入力画像を含む出力用データの出力処理を行う出力手段を有する画像処理装置と、前記画像処理装置とネットワークを介して接続され、電子化された文書データを管理する文書管理装置とを備えた文書管理システムであって、前記画像入力手段で入力された入力画像と一致する文書データが前記文書管理装置内に存在するか否かを検索する検索手段と、前記検索手段によって前記入力画像と一致する文書データが検索されたときに、該文書データに基づいて出力用データを生成し、その出力用データを前記出力手段から出力するように制御する制御手段とを備えたことを特徴とする。
【０００８】
本発明の画像処理装置の制御方法では、画像を入力する画像入力手段と、少なくとも前記画像入力手段で入力された入力画像を含む出力用データの出力処理を行う出力手段とを有し、電子化された文書データを管理する文書管理装置とネットワークを介して接続された画像処理装置の制御方法であって、前記画像入力手段で入力された入力画像と一致する文書データが前記文書管理装置内に存在するか否かを検索する検索行程と、前記検索行程によって前記入力画像と一致する文書データが検索されたときに、該文書データに基づいて生成された出力用データを前記出力手段から出力する行程とを有することを特徴とする。
【０００９】
本発明の制御プログラムでは、画像を入力する画像入力手段と、前記画像入力手段で入力された入力画像を含む出力用データの出力処理を行う出力手段とを有し、電子化された文書データを管理する文書管理装置とネットワークを介して接続された画像処理装置の制御方法を実行するための、コンピュータで読み取り可能な制御プログラムであって、前記画像入力手段で入力された入力画像と一致する文書データが前記文書管理装置内に存在するか否かを検索する検索ステップと、前記検索ステップによって前記入力画像と一致する文書データが検索されたときに、該文書データに基づいて生成された出力用データを前記出力手段から出力するステップとを有することを特徴とする。
【００１０】
【発明の実施の形態】
以下、本発明の実施の形態を図面に基づいて説明する。
【００１１】
［第１の実施形態］
図１は、本発明の第１の実施形態に係る画像処理装置（デジタル複合機１００）を備えた文書管理システムの概略構成を示すブロック図である。
【００１２】
＜文書管理システム＞
まず、文書管理サーバ１４０やデジタル複合機１００等から構成される文書管理システムの概要について説明する。
【００１３】
文書管理システムは、紙文書やデータ形式の異なる複数種類の電子文書を予め定められたデータ形式のファイルに変換して文書管理サーバ１４０に格納し、様々な文書を統合的に管理するためのシステムであり、それぞれネットワークに接続されたホストコンピュータ１３０、文書管理サーバ１４０、及びデジタル複合機１００等から構成されている。
【００１４】
この文書管理システムを利用することにより、電子化された文書データファイルの、共有、検索、閲覧、削除、複製、転送あるいは編集等がホストコンピュータ１３０やデジタル複合機１００等の機器から行えるように構成されている。
【００１５】
＜デジタル複合機１００＞
次に、本実施形態におけるデジタル複合機１００について図１〜図３を用いて説明する。
【００１６】
デジタル複合機１００とは、コピー、プリンタ、ファックス、その他複数の機能を一台に統合化した装置である。
【００１７】
図１において、１００はデジタル複合機であり、画像入出力装置１０１と画像入出力制御部１０５とから構成される。画像入出力装置１０１は、操作部１０２、リーダ部１０３、及びプリンタ部１０４から構成される。操作部１０２は、画像入出力装置１０１及び画像入出力制御部１０５を操作するために使用する。リーダ部１０３は、原稿の画像を読み取り、原稿画像に応じた画像データを画像入出力制御部１０５へ出力する。画像入出力制御部１０５へ出力された画像データは、制御部１０６を介してハードディスク１０９または画像記憶メモリ１１０に一時的に保存される。
【００１８】
プリンタ部１０４は、画像入出力制御部１０５を介して、ハードディスク１０９または画像記憶メモリ１１０から取り出した画像データに応じた画像を記録紙上に記録する。ハードディスク１０９または画像記憶メモリ１１０から取り出した画像データは、画像データを再出力する設定がない場合は、ハードディスク１０９または画像記憶メモリ１１０から削除される。
【００１９】
画像入出力制御部１０５は、リーダ部１０３に接続されており、制御部１０６、ファクシミリ部１０７、コンピュータインターフェイス部１０８、ハードディスク１０９、画像記憶メモリ１１０、ＯＣＲ部１１１、及び文書検索部１１２から構成される。
【００２０】
ファクシミリ部１０７は、電話回線を介して受信した圧縮画像データを伸張して、伸張された画像データを制御部１０６へ転送し、また、制御部１０６から転送された画像データを圧縮して、圧縮された圧縮画像データを、電話回線を介して送信する。ファクシミリ部１０７により受信した圧縮画像データは、ハードディスク１０９または画像記憶メモリ１１０に一時的に保存することができる。
【００２１】
コンピュータインターフェイス部１０８は、ネットワーク１２０やその他（セントロニクス等の）不図示のホストインターフェースを介して接続されたホストコンピュータ１３０から転送された印刷画像を表すコードデータ（ＰＤＬ）と、同じくネットワーク１２０を介して接続されたネットワークスキャナ１５０からの画像データをプリンタ部１０４で記録できる画像データに展開して、制御部１０６を介してハードディスク１０９または画像記憶メモリ１１０に記録する。
【００２２】
制御部１０６は、リーダ部１０３、ファクシミリ部１０７、コンピュータインタフェイス部１０８、ハードディスク１０９、画像記憶メモリ１１０、ＯＣＲ部１１１、及び文書検索部１１２のそれぞれの間のデータの流れを制御するものである。
【００２３】
ＯＣＲ部１１１は、リーダ部１０３で読み取った画像データに対して文字認識処理を施して、画像情報からテキスト情報に変換することが可能である。文書検索部１１２は、ＯＣＲ処理後のテキスト情報を基に、読み取った画像データと同じ電子文書データが文書管理サーバ１４０内に無いかどうかの検索を行う。
【００２４】
図２は、図１に示したリーダ部１０３及びプリンタ部１０４のハード的構成を示す断面図である。
【００２５】
同図において、リーダ部１０３の原稿給送装置２０１は、原稿を最終順に一枚ずつプラテンガラス２０２上へ給送し、原稿の読み取り動作終了後、プラテンガラス２０２上の原稿を排出するものである。原稿がプラテンガラス２０２上に搬送されると、ランプ２０３を点灯し、そしてスキャナユニット２０４の移動を開始させて、原稿を露光走査する。この時の原稿からの反射光は、各ミラー２０５、２０６、２０７、及びレンズ２０８によって、ＣＣＤイメージセンサ（以下、ＣＣＤと略す）２０９へ導かれる。
【００２６】
このように、走査された原稿の画像はＣＣＤ２０９によって読み取られ、ＣＣＤ２０９から出力される画像データは、所定の処理が施された後、図１に示す画像入出力制御部１０５の制御部１０６へ転送される。
【００２７】
プリンタ部１０４のレーザドライバ２２１は、レーザ発光部２１０を駆動するものであり、画像入出力制御部１０５から出力された画像データに応じたレーザ光をレーザ発光部２１０に発光させる。このレーザ光は、感光ドラム２１１に照射され、感光ドラム２１１にはレーザ光に応じた潜像が形成される。この感光ドラム２１１の潜像の部分には、現像器２１２によって現像剤が付着される。そして、レーザ光の照射開始と同期したタイミングで、カセット２１３及びカセット２１４の何れかより記録紙を給紙して転写部２１５へ搬送し、感光ドラム２１１に付着された現像剤を記録紙に転写する。
【００２８】
現像剤の乗った記録紙は定着部２１６に搬送され、定着部２１６の熱と圧力により現像剤は記録紙に定着される。定着部２１６を通過した記録紙は、排出ローラ２１７によって排出され、ソータ２２０は排出された記録紙をそれぞれのビンに収納して記録紙の仕分けをしたり、仕分けされた記録紙のステイプルを行う。なお、ソータ２２０は仕分けが設定されていない場合は、最上ビンに記録紙を収納する。
【００２９】
また、両面記録が設定されている場合は、排出ローラ２１７のところまで記録紙を搬送した後、排出ローラ２１７の回転方向を逆転させ、フラッパ２１８によって再給紙搬送路２１９へ導く。多重記録が設定されている場合は、記録紙を排出ローラ２１７まで搬送しないように、フラッパ２１８によって再給紙搬送路２１９へ導く。再給紙搬送路２１９へ導かれた記録紙は上述したタイミングで転写部２１５へ給紙される。
【００３０】
図３は、図１に示したデジタル複合機１００の操作部１０２のキー配列を示す外観図である。
【００３１】
３０１は、主電源ランプであり、電源オン時に点灯する。不図示の電源スイッチは、本体の側面に配置され、本体への通電を制御する。３０２は、予熱キーであり、予熱モードのＯＮ／ＯＦＦに使用する。３０３は、コピーモードキーであり、複数の機能の中からコピーモードを選択するときに使用する。３０４は、ファックスモードキーであり、複数の機能の中からファックスモードを選択するときに使用する。
【００３２】
３０５は、プリントキーであり、複写機をプリンタとして使用する際の機能の設定やプリント状況を表示するときに使用する。３０６は、コピースタートキーであり、コピーの開始を指示するときに用いるキーである。３０７は、ストップキーであり、コピーを中断したり、中止したりするときに用いるキーである。３０８は、リセットキーで、スタンバイ中は標準モードに復帰させるキーとして動作する。３０９は、ガイドキーであり、各機能を知りたいときに使用するキーである。
【００３３】
３１０は、ユーザモードキーであり、ユーザがシステムの基本設定を変更するときに使用する。３１１は、割り込みキーであり、コピー中に割り込みしてコピーしたいときに使用する。３１２は、テンキーであり、数値の入力を行うときに使用する。３１３はクリアキーであり、数値をクリアするときに用いる。３１４は、２０個のワンタッチダイアル・キーであり、ファクシミリ送信において、ワンタッチでダイアルする時に使用する。
【００３４】
３１５は、２枚組の蓋であり、ワンタッチ・ダイアルキー３１４の各キー部分がくり抜かれ形状の２重の蓋になってる。不図示のセンサスイッチにより、２枚の蓋が閉じられた第１の状態、１枚目の蓋だけが開いた第２の状態、及び２枚の蓋が開いた第３の状態を検出する。これら３種類の蓋の開閉状態と組み合わせで、ワンタッチ・ダイアルキー３１４のキーの動作が決定されるので、本実施形態では、キーが２０×３＝６０個存在するのと同等の効果を持つ。
【００３５】
３１６は、液晶画面とタッチセンサの組み合わせから成るタッチパネルであり、各モード毎に個別の設定画面が表示され、更に、描画されたキーに触れることで、各種の詳細な設定を行うことが可能である。
【００３６】
＜本実施形態の特徴を成す処理＞
次に、本実施形態の高画質コピー（画像劣化なしコピー）のしくみについて説明する。
【００３７】
本実施形態の文書管理システムにおいては、設定によってはリーダ部１０３で読み取った画像の元電子文書データが文書管理サーバ１４０内にある場合には、通常の読み取った画像データを印刷するコピーではなく、文書管理サーバ１４０内の元電子文書データを使って印刷を行うことが可能な様に構成されている。これにより通常のコピーを行うのと同様の簡単な操作にもかかわらず、コピーによる画像の劣化を回避しながらコピーと同じ結果を得ることが可能になる。
【００３８】
デジタル複合機１００のリーダ部１０３で読み取られた原稿の画像データは、本能画像入出力制御部１０５へ出力され、制御部１０６を介してハードディスク１０９または画像記憶メモリ１１０に一時的に保存される。読み取られた画像データは、ＯＣＲ部１１１を使ってＯＣＲ処理が施され、画像データからテキストデータに変換される。文書検索部１１２は、ＯＣＲ処理によって得られたテキストデータを使って、文書管理サーバ１４０内にある電子データファイルの中から、読み取った原稿と同じ電子文書データが無いかを検索することが可能である。
【００３９】
原稿と同じ電子文書データが文書管理サーバ１４０内にある場合には、制御部１０６は、コンピュータインタフェイス部１０８やネットワーク１２０を介して、元電子文書データを使った印刷処理の実行を指示する。その際、操作部１０２でコピー開始操作を行う前に設定されていた各種設定情報（例えば、コピー枚数や、両面印刷、拡大縮小、フィニッシング設定等）も同時に文書管理サーバ１４０側に送られ、印刷実行時に使用されるように構成されている。
【００４０】
その後は、文書管理サーバ１４０で印刷画像を表すコードデータ（ＰＤＬ）に変換された印刷データが、ネットワーク１２０を介して画像入力制御部１０５に送られ、通常のプリント処理と同様にプリンタ部１０４で印刷が実行される。
【００４１】
図４は、第１の実施形態における画像劣化なしコピーモード（高画質出力モード）選択時の画像入出力制御部１０５の処理手順を表すフローチャートである。
【００４２】
同図においては、まずステップＳ４０１において、画像劣化なしの高画質のコピー出力を行う画像劣化なしコピーモードに設定されているかをチェックする。ステップＳ４０１において画像劣化なしモードに設定されていない場合には、ステップＳ４１１に進み、読み取った画像データを使った通常のコピー処理を行い処理を終了する。画像劣化なしコピーモードに設定されていた場合にはステップＳ４０２に進み、読み取った画像データに対してＯＣＲ部１１１でＯＣＲ処理を施し、テキストデータ部分の抽出を行う。
【００４３】
次にステップＳ４０３に進み、抽出したテキストデータを使って、文書管理サーバ１４０内に読み取った画像と同じ電子文書データが存在するかどうかの検索を行う。なお、ステップＳ４０３において文書管理サーバ１４０内に複数の該当電子文書データが見つかった場合には、最も近いと推測される電子文書データを選択するようなアルゴリズムも実装されている。
【００４４】
次に、ステップＳ４０４に進み、ステップＳ４０３の実行の結果、文書管理サーバ１４０内に該当文書データが見つからなかった場合には、ステップＳ４１１に進み、読み取った画像データを使った通常のコピー処理を行い、処理を終了する。文書管理サーバ１４０内に該当文書が見つかった場合には、ステップＳ４０５に進み、デジタル複合機１００の操作部１０２に、該当電子文書データがあったことを表示させ、その後の動作に関してユーザの指示を待つ。
【００４５】
ステップＳ４０６において、ユーザが該当電子文書データの内容を確認することを選択した場合には、ステップＳ４０７に進み、文書管理サーバ１４０から該当する電子文書データを、ネットワーク１２０を介して入手し、操作部１０２に表示することにより、利用者が印刷前にこれから印刷する電子文書データの内容を確認することができる。
【００４６】
次に、ステップＳ４０８において、該当電子文書データを使って劣化なしコピーを行うかどうか利用者の指示を待つ。利用者が、画像劣化なしコピーを選択しなかった場合には、ステップＳ４１１に進み、読み取った画像を使って通常のコピー処理を行い処理を終了する。利用者が画像劣化なしコピーを選択した場合には、ステップＳ４０９に進み、コピー枚数やその他現在の各種コピー設定情報を文書管理サーバ１４０に通知する。
【００４７】
そして、ステップＳ４１０において、文書管理サーバ１４０に印刷開始指示を送った後、処理を終了する。その後、デジタル複合機１００では、読み取った画像データの元になった電子文書データを使ってプリンタ部１０４で印刷処理を実行することにより、画像劣化なしコピーが実行される。
【００４８】
本実施形態は、次のような利点を有する。
【００４９】
（１）文書管理サーバ１４０内に元電子文書データが存在する画像のコピーを行う際に、読み取った画像ではなく、元電子文書データを使ったプリンタ出力によりコピーを実行することで、従来は原理上避けられなかったコピー時の画質の劣化を回避することができる。
【００５０】
（２）操作部１０２でコピー開始操作を行う前に設定されていた各種コピー設定情報が、画像劣化なしコピーを行う際にもそのまま使用されるので、あたかも通常のコピー操作を行うような簡単な操作で利用者の希望通りの画像劣化なしコピーを行うことができる。
【００５１】
（３）読み取った画像の元電子文書データが文書管理サーバ内に複数候補存在する場合に、最も近いと推測される電子文書データを選択できるので、画像劣化なしコピーの正確性を高めることができる。
【００５２】
（４）読み取った画像の元電子文書データを文書管理サーバ内に存在するかを検知する際に、読み取った画像に対して文字認識処理を施すので、文字データが同じ原稿と電子文書データに対して画像劣化なしコピーを実行することができる。
【００５３】
（５）読み取った画像の元電子文書データが文書管理サーバ内に存在する場合に、利用者が画像劣化なしコピーを行うか、通常のコピーを行うかを選択することができるので、利用者の使用目的に合わせてより柔軟なコピーの実行が可能になる。
【００５４】
（６）読み取った画像の元電子文書データが文書管理サーバ内に存在する場合には、文書管理サーバ１４０から該当する電子文書データを、ネットワーク１２０を介して入手して操作部１０２に表示することが可能に構成されているので、利用者が簡単に元電子文書データの内容を確認することができ、間違った電子文書データを選択してしまう状態を未然に防ぐことができる。
【００５５】
［第２の実施形態］
上記第１の実施形態においては、読み取った画像データにＯＣＲ処理を施し、テキストデータ部を抽出することにより文書管理サーバ１４０内に元電子文書データが存在するか否かを検索する構成について説明した。しかしながら、一般的にはテキストデータ部を持たない場合や、テキストデータ部は共通でもテキスト以外のグラフィックやイメージ等が異なる場合もあるため、第１の実施形態では全ての場合を網羅することは難しい。
【００５６】
そこで、第２の実施形態においては、予め電子文書データの印刷時に透かしデータ等を付加することにより、文書管理サーバ１４０内で電子文書データを一意に特定可能にしておき、画像読み取り時に透かしデータを検知し、文書検索の情報として使用することにより、原稿と異なる電子文書データを選択してしまう確率を低減させることができる。
【００５７】
以下、図５及び図６を用いて第２の実施形態の詳細を説明する。
【００５８】
図５は、本発明の第２の実施形態に係る画像処理装置（デジタル複合機１００）を備えた文書管理システムの概略構成を示すブロック図である。
【００５９】
本実施形態では、図１の構成においてＯＣＲ部１１１を透かし情報検知部１１３に置き換えたものである。
【００６０】
文書管理サーバ１４０内の電子文書データを印刷する際には、印刷に使用した電子文書データを一意に特定可能な情報（例えば、ファイル名、ファイルサイズ、最終更新日時等）を透かしデータとして印刷面に付加して印刷することが可能である。透かしデータとは、利用者の肉眼では認識できない形式で埋め込まれた情報のことで、透かし情報検知部１１３で認識し、解読して復元することが可能である。
【００６１】
デジタル複合機１００のリーダ部１０３で読み取られた原稿の画像データは画像入出力制御部１０５へ出力され、制御部１０６を介してハードディスク１０９または画像記憶メモリ１１０に一時的に保存される。読み取られた画像データは透かし情報検知部１１３を使って透かし情報が存在するかどうかの検知を行う。透かし情報があると検知された場合は、透かし情報の内容の解読を行う。
【００６２】
次に解読されたファイル名やファイルサイズ、最終更新日時等の透かしデータを用いて、文書検索部１１２で、文書管理サーバ１４０内に読み込んだ原稿画像の元電子データが存在するかどうかを検索する。文書管理サーバ１４０内にある場合には、上記第１の実施形態と同様に、制御部１０６は、コンピュータインタフェイス部１０８やネットワーク１２０を介して、元電子文書データを使った印刷処理の実行を指示し、その際、操作部１０２でコピー開始操作を行う前に設定されていた各種設定情報も同時に文書管理サーバ側に送られ、印刷実行時に使用される。その後、文書管理サーバ１４０で印刷画像を表すコードデータ（ＰＤＬ）に変換された印刷データは、ネットワーク１２０を介して画像入力制御部１０５に送られ、通常のプリント処理と同様にプリンタ部１０４で印刷が実行される。
【００６３】
図６は、第２の実施形態における画像劣化なしコピーモード（高画質出力モード）選択時の画像入出力制御部１０５の処理手順を表すフローチャートである。
【００６４】
同図においては、まずステップＳ５０１において、画像劣化なしコピーを行うモードに設定されているかをチェックする。ステップＳ５０１において画像劣化なしモードに設定されていない場合には、ステップＳ５１１に進み、読み取った画像データを使った通常のコピー処理を行い、処理を終了する。
【００６５】
画像劣化なしコピーモードに設定されていた場合には、ステップＳ５０２に進み、読み取った画像データに対して透かし情報検知部１１３において透かしデータ検知処理を施し、透かしデータの抽出を行う。次にステップＳ５０３に進み、抽出した透かしデータを使って、文書管理サーバ１４０内に読み取った画像と同じ電子文書データがあるかの検索を行う。
【００６６】
その後のステップＳ５０４〜ステップＳ５１１では、上記第１の実施形態の図４で説明したステップＳ４０４〜ステップＳ４１１と同様の処理をそれぞれ行うことになる。
【００６７】
このように本実施形態では、読み取った画像の元電子文書データが文書管理サーバ１４０内に存在するか否かを検索する際に、読み取った画像の印刷時に予め付加された透かし情報を使って検索処理を行うので、テキストデータがない画像や様々な種類の画像に対して高い認識率で画像劣化なしコピーを実行することができる。
【００６８】
なお、上述した図４及び図６のフローチャートに従ったプログラムを制御部１０６内の記憶装置に格納し動作することにより、上述の制御方法を実現させることが可能となる。
【００６９】
本発明は、上述した実施形態の装置に限定されず、複数の機器から構成されるシステムに適用しても、１つの機器から成る装置に適用してもよい。前述した実施形態の機能を実現するソフトウェアのプログラムコードを記憶した記憶媒体をシステムあるいは装置に供給し、そのシステムあるいは装置のコンピュータ（またはＣＰＵやＭＰＵ）が記憶媒体に格納されたプログラムコードを読み出し実行することによっても、完成されることは言うまでもない。
【００７０】
この場合、記憶媒体から読み出されたプログラムコード自体が前述した実施形態の機能を実現することになり、そのプログラムコードを記憶した記憶媒体は本発明を構成することになる。プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭを用いることができる。また、コンピュータが読み出したプログラムコードを実行することにより、前述した実施形態の機能が実現されるだけではなく、そのプログラムコードの指示に基づき、コンピュータ上で稼動しているＯＳなどが実際の処理の一部または全部を行い、その処理によって前述した実施形態の機能が実現される場合も含まれることは言うまでもない。
【００７１】
さらに、記憶媒体から読み出されたプログラムコードが、コンピュータに挿入された機能拡張ボードやコンピュータに接続された機能拡張ユニットに備わるメモリに書き込まれた後、次のプログラムコードの指示に基づき、その拡張機能を拡張ボードや拡張ユニットに備わるＣＰＵなどが処理を行って実際の処理の一部または全部を行い、その処理によって前述した実施形態の機能が実現される場合も含まれることは言うまでもない。
【００７２】
【発明の効果】
以上詳細に説明したように、請求項１及び請求項２の発明によれば、従来は原理上避けられなかったコピー時の画質の劣化を回避することができる。
【００７３】
請求項３の発明によれば、画像入力手段による画像入力時に設定した画像出力用設定情報が、そのまま高画質出力モード時にも反映されるので、あたかも通常のコピー操作を行うような簡単な操作で、画像劣化のない高画質のコピー出力を得ることができる。
【００７４】
請求項４の発明によれば、検索手段によって入力画像に一致する文書データが複数検索されたとき、その中から当該入力画像に最も近似した文書データを選択し、該文書データに基づいて生成された出力用データを出力手段から出力するようにしたので、画像劣化のない高画質のコピー出力をより確実に得ることができる。
【００７５】
請求項５の発明によれば、入力画像に対して文字認識処理を施して文字認識データを生成し、この文字認識データを用いて、当該入力画像と一致する文書データが文書管理装置内に存在するか否かを検索するようにしたので、文字データが同じ原稿と電子文書データに対して、画像劣化のない高画質のコピー出力を得ることができる。
【００７６】
請求項６の発明によれば、文書管理装置内の電子化された文書データを一意に特定可能な透かし情報を使って文書データの検索処理を行うようにしたので、テキストデータがない画像や様々な種類の画像に対して高い認識率で、画像劣化のない高画質のコピー出力を得ることができる。
【００７７】
請求項７の発明によれば、入力画像に一致する文書データが文書管理装置内で検索されたときに、該文書データを使用した出力処理を行うか、あるいは入力画像を使用した出力処理を行うかの選択を可能にする選択手段を備えたので、利用者の使用目的に合わせてより柔軟なコピーの実行が可能になる。
【００７８】
請求項８の発明によれば、入力画像に一致する文書データが文書管理装置内で検索されたときに、該文書データの内容を表示する表示手段を備えたので、利用者が簡単に元電子文書データの内容を確認することができ、間違った電子文書データを選択してしまう状態を未然に防ぐことが可能になる。
【図面の簡単な説明】
【図１】本発明の第１の実施形態に係る画像処理装置を備えた文書管理システムの概略構成を示すブロック図である。
【図２】図１に示したリーダ部１０３及びプリンタ部１０４のハード的構成を示す断面図である。
【図３】図１に示したデジタル複合機１００の操作部１０２のキー配列を示す外観図である。
【図４】第１の実施形態における画像劣化なしコピーモード（高画質出力モード）選択時の画像入出力制御部１０５の処理手順を表すフローチャートである。
【図５】本発明の第２の実施形態に係る画像処理装置（デジタル複合機１００）を備えた文書管理システムの概略構成を示すブロック図である。
【図６】第２の実施形態における画像劣化なしコピーモード（高画質出力モード）選択時の画像入出力制御部１０５の処理手順を表すフローチャートである。
【符号の説明】
１００　デジタル複写機
１０１　画像入出力装置
１０２　操作部
１０３　リーダ部
１０４　プリンタ部
１０５　画像入出力制御部
１０６　制御部
１０７　ファクシミリ部
１０８　コンピュータインタフェイス部
１０９　ハードディスク
１１０　画像記憶メモリ
１１１　ＯＣＲ部
１１２　文書検索部
１１３　透かし情報検知部
１２０　ネットワーク
１３０　ホストコンピュータ
１４０　文書管理サーバ
１５０　ネットワークスキャナ
【図１】
2004118296.tif 000003
【図２】
2004118296.tif 000004
【図３】
2004118296.tif 000005
【図４】
2004118296.tif 000006
【図５】
2004118296.tif 000007
【図６】
2004118296.tif 000008